(57)【要約】【課題】宝飾品などの展示品の展示品質の大幅な向上を図ることができる展示ユニットを提供する。【解決手段】展示ユニットは、密閉可能に構成され、塵埃フィルター１５およびこの塵埃フィルター１５に送風を行う送風ファン１４を有し、内部をクリーンな環境に維持することができ、壁の少なくとも一部が透明材料からなる展示室１１を有する。展示室１１に設けられた通風孔１２と塵埃フィルター１５の入口との間を気体流路により気密性を持って接続する。展示室１１から流出する気体の全てがこの気体流路を通って塵埃フィルター１５の入口に入るように構成する。【選択図】図２
0003142809.tif 000002
【実用新案登録請求の範囲】
【請求項１】
密閉可能に構成され、塵埃フィルターおよびこの塵埃フィルターに送風を行う送風ファンを有し、内部をクリーンな環境に維持することができ、壁の少なくとも一部が透明材料からなる展示室を有し、
上記展示室に設けられた通風孔と上記塵埃フィルターの入口との間が気体流路により気密性を持って接続され、
上記展示室から流出する気体の全てが上記気体流路を通って上記塵埃フィルターの入口に入るように構成されていることを特徴とする展示ユニット。
【請求項２】
上記展示室内に展示される展示品からの光量をＳdisplay 、上記展示室内にダスト微粒子が存在しない状態でのバックグラウンド光量をＳBG、上記展示室の内面に付着したダスト微粒子からの光量をＳDustとしたとき、上記展示室内のダスト微粒子密度が外部環境に比べて減少することによりコントラストＣ＝Ｓdisplay ／（ＳBG＋ＳDust）が高くなるように構成されていることを特徴とする請求項１記載の展示ユニット。
【請求項３】
従来の展示室の内面に付着したダスト微粒子からの光量をＳDust0 としたとき、ＳDust／ＳDust0 ＜１０-3となるように構成されていることを特徴とする請求項１または２記載の展示ユニット。
【請求項４】
上記展示室の少なくとも底面が光反射防止構造を有することを特徴とする請求項１〜３のいずれか一項記載の展示ユニット。
【請求項５】
上記展示室の少なくとも底面が光吸収性を有することを特徴とする請求項１〜４のいずれか一項記載の展示ユニット。
【請求項６】
上記展示室の少なくとも底面に無反射コーティングが施されていることを特徴とする請求項１〜４のいずれか一項記載の展示ユニット。
【請求項７】
上記展示室の底面が上記展示室の内部に面する第１の隔壁とこの第１の隔壁に対向する第２の隔壁とからなる二重壁により構成され、この二重壁の間の空間により上記気体流路の一部が構成されていることを特徴とする請求項１〜３のいずれか一項記載の展示ユニット。
【請求項８】
上記第１の隔壁は気体透過性および光反射防止構造を有することを特徴とする請求項７記載の展示ユニット。
【請求項９】
上記第１の隔壁は多孔質材料、ハニカム構造または中空柱集合体構造からなることを特徴とする請求項７記載の展示ユニット。
【請求項１０】
上記二重壁の間の空間内において上記第１の隔壁の下側に上記送風ファンが設けられていることを特徴とする請求項７記載の展示ユニット。
【請求項１１】
上記展示室は展示品を照明する照明装置を有することを特徴とする請求項１〜１０のいずれか一項記載の展示ユニット。
【請求項１２】
上記照明装置により上記展示室の内部の上方から展示品を照明することを特徴とする請求項１１記載の展示ユニット。
【考案の詳細な説明】
【技術分野】
【０００１】
この考案は、展示ユニットに関し、例えば、宝飾品のように美観が重要視される展示品の展示に適用して好適なものである。
【背景技術】
【０００２】
宝飾店においては、ショーウィンドウーまたは展示箱の中に宝石や貴金属などの宝飾品を展示することが良く行われている。この場合、宝飾品の輝きを増して見栄えを良くするために、これらの宝飾品は黒地の展示面の上に置き、宝飾品と背景とのコントラストを高くするのが一般的である。
【０００３】
なお、完全循環型で密閉された構造を持つクリーンユニットおよび連結クリーンユニットが提案されている（特許文献１〜３参照）。これによれば、クリーンな環境に維持することができる作業室の後部、上部および下部のうちの少なくとも一つならびに少なくとも一方の側部にそれぞれ連結部を設けたクリーンユニットの作業室の上部に送風動力を有する塵埃フィルター（ＨＥＰＡ（high efficiency particulate air)フィルター）を一つ設けるとともに、作業室の側面などに気密性を有する管を直結し、かつ上記の塵埃フィルターの入口に繋げることにより気体が循環するように構成する。このクリーンユニットの清浄度の平均値および最高値はクラス１０並の値が得られている。上記のようにクリーンユニットを循環型に構成することにより高い清浄度が達成されるメカニズムについては、すでに報告されている（非特許文献１、２参照。）。
【０００４】
また、ＩＳＯクラス−１以上の超高清浄度環境を実現することを目的として、本考案者により、密閉可能に構成され、内部をクリーンな環境に維持することができる作業室と、上記作業室に設けられた送風動力を有する塵埃フィルターと、上記作業室と上記塵埃フィルターの入口との間を気密性を持って接続する気体流路とを有し、上記作業室から流出する気体の全てが上記気体流路を通って上記塵埃フィルターの入口に入るように構成されたクリーンユニットであって、上記気体流路の一部が、上記作業室の一つの壁面に設けられた二重壁の間の空間であって上記作業室の内部より体積が小さいものにより構成されたものが提案され（特許文献４参照。）、既に実用化されている。
【０００５】
【特許文献１】国際公開第０４／１１４３７８号パンフレット
【特許文献２】特開２００６−１８３９２９号公報
【特許文献３】特開２００７−８５７２１号公報
【特許文献４】実用新案登録第３１３４９８２号明細書
【非特許文献１】A.Ishibashi, H.Kaiju, Y.Yamagata and N.Kawaguchi : Electron. Lett.41,735(2005)
【非特許文献２】H.Kaiju, N.Kawaguchi and A.Ishibashi : Rev. Sci. Instrum.76, 085111(2005)
【考案の開示】
【考案が解決しようとする課題】
【０００６】
しかしながら、本考案者の検討によれば、従来のショーウィンドウーあるいは展示箱の内部には、ダスト微粒子が高密度に存在し、このダスト微粒子が展示室の内面や展示品自身などの上に降り積もって付着することにより、このダスト微粒子による散乱光の影響で宝飾品の輝きが本来の輝きよりも大幅に劣化する結果、宝飾品の展示品質が著しく悪くなっていることが分かった。ショーウィンドウー、ショーケースあるいは展示箱の内部は、羽箒、電気掃除機、ハンディなモップなどにより定期的または不定期に清掃が行われるのが一般的であるが、これらのダスト微粒子は通常の清掃では到底除去することができないため、宝飾品の展示品質の向上は望めない。
そこで、この考案が解決しようとする課題は、宝飾品などの展示品の展示品質の大幅な向上を図ることができる展示ユニットを提供することである。
【課題を解決するための手段】
【０００７】
上記課題を解決するために、この考案は
密閉可能に構成され、塵埃フィルターおよびこの塵埃フィルターに送風を行う送風ファンを有し、内部をクリーンな環境に維持することができ、壁の少なくとも一部が透明材料からなる展示室を有し、
上記展示室に設けられた通風孔と上記塵埃フィルターの入口との間が気体流路により気密性を持って接続され、
上記展示室から流出する気体の全てが上記気体流路を通って上記塵埃フィルターの入口に入るように構成されていることを特徴とする展示ユニットである。
【０００８】
塵埃フィルターとしては、好適には、少なくとも粒径０．３μｍ以上のダスト微粒子の捕集効率が０．９以上であるものが用いられ、具体的には、例えば、ガラス繊維をろ材に用いたＨＥＰＡ（high efficiency particulate)フィルターや、ポリテトラフルオロエチレンをろ材に用いたＵＬＰＡ（ultra low penetration air)フィルター、あるいはこれらの双方が用いられる。
【０００９】
展示室内のダスト微粒子密度をｎ（ｔ）（ｔは運転開始後の時間）、展示室の内部の空間の体積をＶ、その空間の内面積をＳ、単位面積・単位時間当たりのダスト微粒子の脱離レートをσ、展示ユニットの設置環境（外気）のダスト微粒子密度をＮ0 、塵埃フィルターのダスト捕集効率をγ、塵埃フィルターの風量をＦとすると、展示室内のダスト微粒子密度ｎ（ｔ）は、非特許文献１において本考案者らにより理論的に示されている通り、
【数１】
0003142809.tif 000003
なる微分方程式を満たす。
【００１０】
密閉循環系では、従来の半開放系であるクリーンルームのダスト微粒子密度と大きく異なり、ｎ（ｔ）は、
【数２】
0003142809.tif 000004
によって与えられる。時間が経てば（１）式の第２項が
【数３】
0003142809.tif 000005
に従って、つまり、γはほぼ１であるのでＶ／Ｆ時間当たり、１／ｅに減衰し、急速にゼロに近づくため、外気のダスト微粒子密度を含まない（１）式の右辺第１項のみが残る。すなわち、密閉循環系では、クリーンユニットの設置環境によらず、
【数４】
0003142809.tif 000006
なる究極の清浄度が得られる。
【００１１】
例えば、展示室の内部の空間の幅、高さ、奥行きが各１ｍの展示ユニットにおいて、風量Ｆ＝１ｍ3 ／分で密閉循環させる場合を考えると、Ｖ／Ｆ＝１ｍ3 ／（１ｍ3 ／分）＝１分となるので、１分毎に、展示室のダスト微粒子数は１／ｅ、すなわち約２．８分の一に減っていくことが分かる。また、展示室の内部の空間の幅、高さ、奥行きが各２ｍの展示ユニットの場合、風量８ｍ3 ／分のファンユニットを一台用いる（あるいは風量２ｍ3 ／分のファンユニットを４台用いるなど）ことにより、同じタイムスケールで、展示室の内部の清浄度を高くすることができる。
【００１２】
特に、従来のクリーンルームの定常状態のダスト微粒子密度は設置環境のダスト微粒子密度Ｎ0 に依存し、かつこのためできるだけダスト微粒子の捕集効率γが１に近い高品質の塵埃フィルターが必要であったのに対し、この考案では、定常状態のダスト微粒子密度ｎ（ｔ）はＮ0 に依存せず（従って設置環境を選ばず）、かつγがｎの表式の分母に入っているので、γが１に近いことも重要ではなく、安価な塵埃フィルターでも極めて高い清浄度を達成することができる。
好適には、展示室から流出する気体の風量に対する展示室の内部の体積の比を２．５分以下とする。
【００１３】
この展示ユニットは、展示室内に展示される展示品からの光量をＳdisplay 、展示室内にダスト微粒子が存在しない状態でのバックグラウンド光量をＳBG、展示室の内面に付着したダスト微粒子からの光量をＳDustとしたとき、展示室内のダスト微粒子密度が外部環境に比べて減少することにより、
コントラストＣ＝Ｓdisplay ／（ＳBG＋ＳDust）                      （２）
が高くなるように構成されている。ここで、ＳDustのうち展示品質に最も影響を与えるものは、特に展示品が置かれる床や台などに付着したダスト微粒子による散乱光である。
【００１４】
ＳDustは、
ＳDust＝ｋｎT                                             （３）
で表される。ここで、ｋは正の比例定数、ｎT は展示品の展示を開始してから時刻ｔまでに展示室の内面に降り積もったダスト微粒子の面密度である。
【００１５】
さらに、展示室の内面に降り積もるダスト微粒子の総数は時間の経過とともに増加するので、
ｎT ＝∫ｎ（ｔ）ｖavｄｔ≒ｎavｖavｔ                            （４）
と近似される。ただし、式（４）の積分の積分区間は展示開始時刻０から現在時刻ｔまでである。ここで、ｖavはダスト微粒子の平均速度、ｎavは平均ダスト微粒子密度である。従って、コントラストＣは
Ｃ＝Ｓdisplay ／（ＳBG＋ｋｎavｖavｔ）                          （５）
で与えられる。
【００１６】
（５）式で示されるように、展示時間ｔの経過とともにコントラストＣは減少する。すなわち、展示時間の経過とともに展示品質は劣化する。この展示ユニットでは、密閉可能に構成された展示室から流出する気体の全てが気体流路を通って塵埃フィルターの入口に入るように構成されていることにより、すなわち密閉循環系であることにより、式（３）の比例定数ｋを従来の展示室、言い換えるとこの考案に係る展示ユニットのダスト微粒子低減手段を有していない通常環境の展示室（清浄度はＩＳＯクラス９程度）に比べて大幅に小さくすることができるため、従来の展示室の内面に付着したダスト微粒子からの光量ＳDust0 に比べて、式（２）の分母第２項のＳDustを容易に３桁以上小さくすることができる。すなわち、
ＳDust／ＳDust0 ＜１０-3
を容易に実現することができる。さらに、塵埃フィルターとしてＨＥＰＡフィルターを用いた場合には、展示室内の清浄度をＩＳＯクラス２〜１程度にすることができるので、
ＳDust／ＳDust0 ＜１０-6
を実現することができる。
【００１７】
以上のことから、展示品を黒色の床や台座などの上に置いてＳBG＝０とし、かつ、展示品室の内面に付着したダスト微粒子の数がゼロであってＳDust＝０であれば、式（２）より、鑑賞者の目からは展示品のコントラストＣは無限大となることが分かる。展示室内のダスト微粒子の量が大幅に減少すれば、展示室の内面に付着する、光散乱の原因となるダスト微粒子がほとんどなくなり、展示品、取り分け宝飾品は背景に比べて限りなく大きな輝きを放ち、鑑賞者の目に強く訴える。すなわち、極めて高い展示品質を得ることができることが分かる。これに対し、展示室内のダスト微粒子が多いと、たとえＳBG＝０でも、式（５）の分母の第２項が大きくなるため、コントラストＣは大幅に減少する。従来の展示室では、図１の従来例の曲線に示すように、典型的には、数時間から数日のうちに、展示室内の内面に付着したダスト微粒子による光散乱のため、展示品の背景からの光量が増え、鑑賞者の目から見たときに、展示品と背景とを区別できない臨界コントラストを超えてしまう。
【００１８】
以上のように、この考案では、図１に示すように、従来の展示室あるいはＪＩＳクラス９の清浄環境を利用する展示環境に比べると３桁以上良好な清浄度が得られる。このことから、式（５）の分母をＤで表し、Ｄの時間に対する変化δＤを考えると、この考案と従来の展示室とを比べた場合、
δＤ／δＤc 
＝δ（ＳBG＋ｋｎavｖavｔ）／δ（ＳBG＋ｋｎavc ｖavｔ）＝ｎav／ｎavc ≦１０-3
より分かる通り、この考案では、コントラストＣの低下をもたらす式（５）の分母Ｄ＝ＳBG＋ｋｎavｖavｔの増加率を従来のＤc （＝ＳBG＋ｋｎavc ｖavｔ）に比べて３桁以上小さくすることができる。これによって、図１に示すこの考案の曲線に示すように、臨界コントラストに達する時間が数百〜数千倍に伸びるという顕著な効果を得ることができる。
【００１９】
展示品質の向上を図る観点から、好適には、展示室の少なくとも底面、最も好適には展示室の内面の全体が光反射防止構造を有する。こうすることで、展示品のコントラストＣの向上を図ることができる。光反射防止構造は種々のものであってよい。例えば、展示室の少なくとも底面が光吸収性を有するようにしたり、少なくとも底面に無反射コーティングを施したりしてもよい。また、例えば、展示室の底面が展示室の内部に面する第１の隔壁とこの第１の隔壁に対向する第２の隔壁とからなる二重壁により構成され、この二重壁の間の空間により気体流路の一部が構成される。この第１の隔壁は、好適には、気体透過性および光反射防止構造を有する。具体的には、この第１の隔壁は、多孔質材料、ハニカム構造、中空柱集合体構造（中空柱、言い換えると円筒をその中心軸に垂直な面内に多数敷きつめたもの）などからなる。ここで、多孔質材料からなる第１の隔壁では、多孔質材料の空隙を通って気体が透過するとともに、多孔質構造により光の反射が防止される。ハニカム構造からなる第１の隔壁では、ハニカム構造の六角形状の空隙を通って気体が透過するとともに、光の反射が防止される。また、中空柱集合体構造からなる第１の隔壁では、中空柱集合体構造の中空部の空隙を通って気体が透過するとともに、光の反射が防止される。
【００２０】
塵埃フィルターおよび送風ファンの設置箇所は適宜選択されるが、例えば、展示室の上面に設けられる。展示室の底面が上記の二重壁により構成される場合には、好適には、この二重壁の間の空間内において第１の隔壁の下側に送風ファンが設けられ、この送風ファンの市側に塵埃フィルターが設けられる。
【００２１】
展示室は、典型的には、展示品を照明する照明装置を有する。一般的には、この照明装置は、展示室の内部の上方から展示品を照明するように、この展示室の内部の上面に取り付けられる。この照明装置の光の波長は展示品に応じて選ぶことができる。例えば、特定の波長の光を当てて展示品を展示することができる。
【００２２】
好適には、展示室の底面を二重壁とすることに加え、展示室の背面または側面も二重壁とし、この二重壁の間の空間を通じて気体の還流を行うようにする。この場合、展示室の底面に設けられた塵埃フィルターの入口と展示室の通風孔との間の気体流路は、展示室の底面の二重壁の間の空間と展示室の背面または側面の二重壁の間の空間とを含む。
二重壁の間の空間の厚さは、例えば、展示室の内部の空間の奥行き、幅または高さの寸法の１／５以下であり、具体的には、例えば１ｃｍのオーダー、典型的には１〜４ｃｍである。このようにすることで、超高清浄度を得やすくなる。同時にまた、この展示ユニットを設置する部屋に対するこの展示ユニットの占有体積に比べてこの展示ユニットの展示室における展示空間の体積を増加させることができるので、この展示室内への各種の展示品の格納効率の向上を図ることができる。また、展示ユニットの運転中は二重壁の間の空間は外部空間に対して陰圧となるため、この二重壁を押し潰す圧力が加わることから、これを防止するために、好適には、二重壁の間にこの二重壁の補強材が設けられる。この補強材としては、例えば、波状の断面形状および複数の通気孔を有する板や、少なくとも一つ、一般的には複数のリブまたは支柱を用いることができる。こうすることで、二重壁の潰れを防止して、展示室の高清浄度を極めて再現性良く得ることが可能となる。
【００２３】
必要に応じて、二重壁の代わりに、気体流路の一部を作業室の側面、望ましくは背面側の隅に設けられたパイプ状流路、例えば断面の最大寸法が１０ｃｍ以下のパイプ状流路を設けてもよい。この最大寸法は、展示室の相対作業効率を低下させないよう配慮して決められる。このパイプ状流路の断面形状は円形のほか、正方形、長方形などの多角形であってよい。このパイプ状流路には必要に応じて弁が設けられ、例えば、この弁の開閉によりパイプ状流路の開閉が可能に構成される。また、この弁の開閉により、気体流路の遮断や流路の変更を容易に行うことが可能となり、気体流路を変更した場合に生じるデッドスペースを小さくすることができ、超高清浄度を高い安定性で実現することができる。
【００２４】
展示室の形状は、種々の形状であってよく、必要に応じて選ばれるが、具体例を挙げると、直方体状または立方体状、直方体または立方体を変形した形状などであってよい。また、展示室の内部の大きさは、基本的には使用目的などに応じて設計により適宜決定するものであるが、例えば、宝石、首輪、指輪、ブレスレット、ブローチ、腕時計などの宝飾品のほか、帽子、ハンドバッグ、化粧品などの物品を展示するためには、縦・横・高さが各々数十ｃｍ程度であることが望ましく、一般的には通常の室内に格納することができる大きさに選ばれる。一方、絵画、自転車、自動車など、ある一定以上の大きさを有する物品の展示に対しては、展示室の大きさがあまりに小さすぎると支障を来すおそれがあるため、一般的には１ｍ〜数ｍ程度以上に選ばれるが、これに限定されるものではない。必要に応じて、展示室の内面からの発塵を抑えるために、例えば、この内面の全部または一部に、ポリテトラフルオロエチレンのコーティング、側面の透明壁への透明な導電膜のコーティング、非透過性の底面への導電膜のコーティングなどを施すようにしてもよい。
【００２５】
横に長い物品を展示する場合には、上記展示室を連結したものを用いればよい。展示室の連結を行う場合、展示室の後部、上部および下部のうちの少なくとも一つならびに少なくとも一方の側部にそれぞれ連結部が設けられる。展示室の連結部を後部、上部、下部および二つの側部のどこに設けるかは、展示ユニットを二次元的（平面的）または三次元的（立体的）にどのように配置するかに応じて適宜決められる。例えば、連結展示ユニットを水平面内に配置する場合、連結の自由度を大きくし、連結展示ユニットのフレキシビリティーを高めるためには、好適には、連結部は、作業室の後部および両側部にそれぞれ設けられる。この場合、一つの展示ユニットに対し、後部および両側部に合計三つの展示ユニットを連結することが可能である。また、展示ユニットを鉛直面内に配置する場合、連結の自由度を大きくし、連結展示ユニットのフレキシビリティーを高めるためには、好適には、連結部は、展示室の上部または下部および両側部にそれぞれ設けられる。この場合、一つの展示ユニットに対し、上部または下部および両側部に合計三つの展示ユニットを連結することが可能である。連結部は、例えば、展示室の壁に設けられた開口部とこの開口部を開閉可能に設けられた遮断板とを有する。この遮断板は、開閉可能である限り、基本的にはどのようなものであってもよいが、典型的には、引き戸や扉などである。この遮断板の開閉は、手動で行ってもよいし、光センサーなどのセンサーを展示室内部に取り付けるとともに、遮断板の開閉機構を設け、オペレーターの手や展示品が遮断板に近づいた時に自動的に開閉するようにしてもよい。また、展示室にベルトコンベアーなどの搬送機構を設け、入り口と出口との間でこの搬送機構により展示品を搬送する場合には、展示品が搬送機構により出口付近まで搬送された時、これをセンサーにより検知して遮断板を開閉機構により開閉するようにしてもよい。遮断板または作業室の壁面にパッキンなどのシール部材を設けて遮断時の気密性を高めるようにしてもよい。
【００２６】
展示ユニットの展示室の内部に収める展示品は特に限定されないが、具体的には、例えば、宝石、貴金属、貴重品、腕時計、自動車、美術品などである。
また、展示ユニットの展示室の内部環境は様々な方式で制御することができる。この内部環境の制御手段は、例えば、温度制御装置、湿度制御装置、特定波長照明器構などである。内部環境は、例えばコンピュータにより制御することができる。
【００２７】
上記の展示ユニットあるいは連結展示ユニットによれば、宝石、服飾品、食器、自動車などの分野に対応して効果的な展示を高いフレキシビリティーを持って低コストで簡便に実行することができる。
【考案の効果】
【００２８】
この考案によれば、展示室に設けられた密閉循環系による気体の還流により高清浄度を容易に実現することができ、展示室内のダスト微粒子密度の大幅な減少によりダスト微粒子による光散乱を大幅に減少させることができることにより、展示品の背景はあくまで沈ませ、実質的に鑑賞者の目に入るものは展示品からの光のみという状況を実現することができる。このため、展示品の真の美しさを鑑賞者に提示することができ、展示品質の大幅な向上を図ることができる。
【考案を実施するための最良の形態】
【００２９】
以下、この考案の実施形態について図面を参照しながら説明する。なお、実施形態の全図において、同一または対応する部分には同一の符号を付す。
まず、この考案の第１の実施形態による展示ユニットについて説明する。
図２および図３はこの第１の実施形態による展示ユニットを示し、図２は斜視図、図３は図２のＸ−Ｘ線に沿っての断面図である。
【００３０】
図２および図３に示すように、この展示ユニットは、展示品を収納する密閉構造の展示室１１を有する。この展示室１１は全体として直方体の箱状の形状を有する。この展示室１１の内部の大きさは、その中に展示品を収容することができ、かつ、展示に携わる人が展示品の収容作業に支障を来さない大きさに選ばれ、展示品の大きさや形状などに応じて適宜選択される。また、この展示室１１の底面１１ａおよび上面１１ｂを除く前面１１ｃおよび左側面１１ｄおよび右側面板１１ｅはアクリル樹脂などの透明プラスチック板により構成されており、展示室１１の前面および両側面から内部を見ることができるようになっている。展示室１１の前面１１ｃ、左側面１１ｄまたは右側面板１１ｅは取り外すことができるようになっており、取り外した状態で展示品の出し入れができるようになっている。
【００３１】
展示室１１の背面は、所定の間隔をおいて互いに平行に設けられた外壁１１ｆと内壁１１ｇとからなる二重壁により構成されている。これらの外壁１１ｆおよび内壁１１ｇはアクリル樹脂などの透明プラスチック板により構成されている。内壁１１ｇの下端と展示室１１の底面１１ａとの間には所定の高さの通風孔１２がスリット状に設けられている。内壁１１ｇの外壁１１ｆと反対側の面には後面鏡１３が設けられている。
【００３２】
展示室１１の内部の上部には、展示室１１の上面から所定距離離れた位置に送風ファン（ファンユニット）１４が取り付けられ、この送風ファン１４の下側にこの送風ファン１４と一体に塵埃フィルター１５が取り付けられている。これらの送風ファン１４および塵埃フィルター１５は展示室１１の内面に囲まれた空間に隙間なく収容されている。塵埃フィルター１５としては、例えば、ＨＥＰＡフィルターが用いられるが、これに限定されるものではない。
【００３３】
この場合、外壁１１ｆと内壁１１ｇとからなる二重壁の間の空間および展示室１１の上面１１ｂと送風ファン１４との間の空間からなる気体流路により、塵埃フィルター１５の入口と通風孔１２とが気密性を持って接続されている。
展示室１１の内部の底面１１ａ上には、長方形の形状を有する黒色の展示台１６が設けられている。そして、この展示台１６の上に展示品１７が置かれるようになっている。
【００３４】
次に、この展示ユニットの使用方法の一例について説明する。ここでは、最初、展示室１１の内部が通常の室内環境のような低清浄度であるとする。
まず、展示室１１の展示台１６の上に展示品１７を置いた後、展示室１１を密閉する。次に、送風ファン１３を作動させる。すると、図３中矢印で示すように、展示室１１内のエアーは底面１１ａと内壁１１ｇとの間の通風孔１２から、外壁１１ｆと内壁１１ｇとからなる二重壁の間の空間に入り、さらに展示室１１の上面１１ｂと送風ファン１４との間の空間を通り、送風ファン１４を介して塵埃フィルター１５の入口に入り、ダスト微粒子が除去される。こうしてダスト微粒子が除去されたエアーが塵埃フィルター１５から展示室１１の内部に出てくる。これを繰り返すことによりエアーの清浄化が行われる。
【００３５】
この展示ユニットの展示室１１内のダスト微粒子のカウント数の時間依存性の測定を８０時間以上連続して行った。図４にその結果を示す。図４において、縦軸はダスト微粒子数を対数で表示している。展示ユニットは通常環境の部屋に設置した。展示ユニットは密閉されており、展示室１１内にダストカウンターを設置した。ただし、展示室１１の内部の空間の体積は約０．４ｍ3 である。外壁１１ｆと内壁１１ｇとからなる二重壁の間の空間および展示室１１の上面１１ｂと送風ファン１４との間の空間からなる気体流路は長さ約１ｍ、幅約３０ｃｍ、厚さ約１ｃｍである。送風ファン１２としては、寸法が１８ｃｍ×１８ｃｍ×９ｃｍの軸流ファンを用い、風量は０．４〜０．９ｍ3 ／分である。展示室１１底面１１ａおよび上面１１ｂを除く前面１１ｃおよび左側面１１ｄおよび右側面板１１ｅはアクリル樹脂などの透明プラスチック板により構成されており、展示室１１の前面および両側面から内部を見ることができるようになっている。展示室１１の各面は透明アクリル樹脂により形成した。塵埃フィルター１５としては、寸法が２０ｃｍ×２０ｃｍ×５．５ｃｍ、粒径０．３μｍのダスト微粒子の捕集効率が９９．９９％以上のＨＥＰＡフィルターを用いた。図４から分かるように、展示室１１内は送風ファン１３を作動させてから約数十分で高清浄度に達する。なお、ダストカウンターとしては、東京ニュークリアサービス（株）のＬａｓａｉｒ１１０および３１０を使用した。
【００３６】
以上のように、この第１の実施形態によれば、展示室１１を密閉循環系に構成し、展示室１１から塵埃フィルター１５の入口にエアーを途中で淀むことなく効率良く還流させることができることにより、この展示システムを宝飾店などの通常の環境下に置いた場合でも、送風ファン１３の作動開始後、数十分程度極めて短時間で展示室１１内を高清浄度にすることができる。このため、この展示室１１内のダスト微粒子密度は大幅に減少することから、展示室１１の内面に付着するダスト微粒子の面密度も大幅に減少する。これによって、展示室１１の内面に付着したダスト微粒子による散乱光の光量を大幅に減少させることができ、展示品１７のコントラストＣの大幅な向上を図ることができ、ひいては展示品質の大幅な向上を図ることができる。
【００３７】
図５および図６はこの第２の実施形態による展示ユニットを示し、図５は斜視図、図６は図５のＸ−Ｘ線に沿っての断面図である。
図５および図６に示すように、この展示ユニットは、展示品を収納する密閉構造の展示室１１を有する。この展示室１１は全体として直方体の箱状の形状を有する。この展示室１１の内部の大きさは、その中に展示品を収容することができ、かつ、展示に携わる人が展示品の収容作業に支障を来さない大きさに選ばれ、展示品の大きさや形状などに応じて適宜選択される。また、この展示室１１の底面１１ａおよび上面１１ｂを除く前面１１ｃ、左側面１１ｄおよび右側面１１ｅはアクリル樹脂などの透明プラスチック板により構成されており、展示室１１の前面１１ｃ、左側面１１ｄおよび右側面１１ｅを通して内部を見ることができるようになっている。
【００３８】
展示室１１の背面は、所定の間隔をおいて互いに平行に設けられた外壁１１ｆと内壁１１ｇとからなる二重壁により構成されている。これらの外壁１１ｆおよび内壁１１ｇはアクリル樹脂などの透明プラスチック板により構成されている。内壁１１ｇの、外壁１１ｆと反対側の面に後面鏡１３が設けられている。
【００３９】
内壁１１ｇの下端と展示室１１の底面との間には所定の高さの通風孔１２がスリット状に設けられている。内壁１１ｆの下端には、この内壁１１ｆと垂直で展示室１１の底面１１ｃに平行な底板１８がこの内壁１１ｆと一体に設けられている。この底板１８の中央部の下側に送風ファン１４が取り付けられている。この送風ファン１４は、この底板１８と展示室１１の底面１１ａとからなる二重壁の間の空間に収容されている。この送風ファン１４の下側にこの送風ファン１４と一体に塵埃フィルター１５が取り付けられている。塵埃フィルター１５としては、例えば、ＨＥＰＡフィルターが用いられるが、これに限定されるものではない。この塵埃フィルター１５と展示室１１の底面１１ａとの間は所定距離離れており、この塵埃フィルター１５と展示室１１の底面１１ａとの間の空間を通ってエアーが流れることができるようになっている。
【００４０】
底板１８のうちの送風ファン１４の上部の部分は気体透過性および光反射防止構造を有する。具体的には、底板１８のうちの送風ファン１４の上部の部分は、例えば、多孔質材料、ハニカム構造、中空柱集合体構造などにより構成されている。一方、底板１８のうちの送風ファン１４の上部以外の部分は気体非透過性および光反射防止構造を有する。このこの底板１８の上に展示品１７が置かれる。
【００４１】
この場合、外壁１１ｆと内壁１１ｇとからなる二重壁の間の空間、展示室１１の内部および展示室１１の底面１１ａと塵埃フィルター１５との間の空間からなる気体流路により、塵埃フィルター１５の入口と通風孔１２とが気密性を持って接続されている。
【００４２】
次に、この展示ユニットの使用方法の一例について説明する。ここでは、最初、展示室１１の内部が通常の室内環境のような低清浄度であるとする。
まず、展示室１１の底板１８の上に展示品１７を置いた後、展示室１１を密閉する。次に、送風ファン１３を作動させる。すると、展示室１１内のエアーは、展示室１１の底板１８の下側に取り付けられた送風ファン１４を介して塵埃フィルター１５の入口に入り、ダスト微粒子が除去される。こうしてダスト微粒子が除去されたエアーが塵埃フィルター１５から、塵埃フィルター１４と展示室１１の底面１１ａとの間の空間を通り、底板１１ａと内壁１１ｂとの間の通風孔１２を通って、外壁１１ａと内壁１１ｂとからなる二重壁の間の空間に入り、展示室１１の上面１１ｂと内壁１１ｂとの隙間から展示室１１の内部に出てくる。これを繰り返すことによりエアーの清浄化が行われる。
この第２の実施形態によれば、第１の実施形態と同様な利点を得ることができる。
【００４３】
以上、この考案の実施形態について具体的に説明したが、この考案は、上述の実施形態に限定されるものではなく、この考案の技術的思想に基づく各種の変形が可能である。
例えば、上述の実施形態において挙げた数値、構造、構成、形状、材料などはあくまでも例に過ぎず、必要に応じてこれらと異なる数値、構造、構成、形状、材料などを用いてもよい。
【図面の簡単な説明】
【００４４】
【図１】この考案の効果を説明するための略線図である。
【図２】この考案の第１の実施形態による展示ユニットの斜視図である。
【図３】図２のＸ−Ｘ線に沿っての断面図である。
【図４】この考案の第１の実施形態による展示ユニットの展示室内のダスト微粒子密度の時間変化を示す略線図である。
【図５】この考案の第２の実施形態による展示ユニットの斜視図である。
【図６】図５のＸ−Ｘ線に沿っての断面図である。
【符号の説明】
【００４５】
１１…展示室、１１ａ…底面、１１ｂ…上面、１１ｃ…前面、１１ｄ…左側面、１１ｅ…右側面、１１ｆ…外壁、１１ｇ…内壁、１２…通風孔、１４…送風ファン、１５…塵埃フィルター、１６…展示台、１７…展示品、１８…底板
【図１】
0003142809.tif 000007
【図２】
0003142809.tif 000008
【図３】
0003142809.tif 000009
【図４】
0003142809.tif 000010
【図５】
0003142809.tif 000011
【図６】
0003142809.tif 000012